(57)【要約】      （修正有）【課題】消灯時に透明であり、点灯時に高い遮蔽性能を実現する面発光体を備えた仕切り板装置を提供する。【解決手段】仕切り板装置１は導光板１１と、向かい合う１対の入射端面に配置された光源１２、および枠１３とで構成される。導光板の基材となる透光性樹脂の屈折率と、含有させる光拡散粒子の屈折率との差の絶対値（以下「Δｎ」と称する）が０．３以上３．０以下であることが好ましく、０．４以上１．５以下がより好ましい。また、導光板のヘイズ値は、１０％より大きくなると透明感を失う。透明な窓ガラスなどと同等の透明性を有する観点から、ヘイズ値は８％以下が好ましく、５％以下が特に好ましい。ヘイズ値の下限は特にないが、通常０．１％以上であることが好ましい。しかしながら、高効率の光放出が実現できる場合、０．１未満のヘイズ値を有する導光板を用いることも可能である。【選択図】図１
0003175713.tif 000002
【実用新案登録請求の範囲】
【請求項１】
光拡散粒子を含有し、厚み方向のヘイズ値が１０％以下である導光板と、前記導光板の少なくとも一つの側面に設けられた光源からなることを特徴とする仕切り板装置。
【考案の詳細な説明】
【技術分野】
【０００１】
本考案は、衝立などの仕切り板として用いることができる、導光板方式を用いて光が供給される面発光体を備えた仕切り板装置に関する。
【背景技術】
【０００２】
従来、室内などにおいて視界を遮蔽するために、カーテン、ブラインド、パーティション板、衝立などが用いられてきた。しかしこれらの手段では、不要な際に視界を確保すべく撤去するのが不便であった。この問題を解決する手段として、液晶ガラスと電源を用いた液晶窓ガラスが知られている。かかる液晶窓ガラスによれば、電源のオンオフによって簡単に視界を確保することができる（特許文献１参照）。
【０００３】
しかし前記液晶ガラスは一対のガラス板の向かい合う面に透明電極を形成し、その間に液晶組成物を挟む構造であるため、製造工程が複雑で、耐久性にも問題があった。
【０００４】
また、板の表面にマトリクス状のドットパターンを設けた導光板の端面に、光源を配置した面発光体を備えた仕切り板装置が知られている。かかる仕切り板装置は光源の点灯／消灯によって、不可視化と可視化を切り替える（特許文献２参照）。
【０００５】
しかしかかる導光板はマトリクス状のドットパターンの形成が生産上煩雑な上、充分に視界を遮蔽することが難しく、さらに光源を消灯した場合の透明感に問題があった。
【先行技術文献】
【特許文献】
【０００６】
【特許文献１】特開昭６３−１１０３８２号公報
【特許文献２】国際公開第２０１１／０６７８７１号公報
【考案の概要】
【考案が解決しようとする課題】
【０００７】
本考案は、このような事情に鑑みてなされたものであり、消灯時に透明であり、点灯時に高い遮蔽性能を実現する、面発光体を備えた仕切り板装置の提供を目的とする。
【課題を解決するための手段】
【０００８】
本考案によれば、上記課題は、
光拡散粒子を含有し、厚み方向のヘイズ値が１０％以下である導光板と、前記導光板の少なくとも一つの側面に設けられた光源からなることを特徴とする仕切り板装置を提供することにより達成される。
【考案の効果】
【０００９】
本考案の仕切り板装置は、備える導光板が、消灯時に透明性に優れるので視界を確保でき、また点灯時には面発光体として高い効率で光を放出するので視界の遮蔽効果に優れる。
【図面の簡単な説明】
【００１０】
【図１】本考案の実施形態にかかる仕切り板装置の一例を示す平面図である。
【考案を実施するための形態】
【００１１】
（実施形態）
以下、図面を参照して本考案の実施形態について説明する。本考案の実施形態にかかる仕切り板装置は面発光体を備える。該面発光体としては、光拡散粒子を含有する導光板を用いる。導光板は、光源から光を供給すると、導光板の厚み方向に光を散乱しながら導光板の長さ方向に光を導光させる。導光板の長さ方向は、光源から光を供給する端面（入射端面）から、対向する端面への方向であり、供給された光の進行方向と平行となる。導光板の厚み方向は、導光板の厚さを示す方向であり、長さ方向と垂直となる。また導光板の長さ方向および導光板の厚さ方向の両方に垂直な方向を導光板の幅方向とする。
【００１２】
本考案の実施形態の１例として、導光板が長方形の板状である面発光体を備える仕切り板装置について説明する。図１にその概略平面図を示す。仕切り板装置１は導光板１１と、向かい合う１対の入射端面に配置された光源１２、および枠１３とで構成される。
【００１３】
導光板の基材となる透光性樹脂の屈折率と、含有させる光拡散粒子の屈折率との差の絶対値（以下「Δｎ」と称する）が０．３以上３．０以下であることが好ましく、０．４以上１．５以下がより好ましい。Δｎが０．３より小さい場合、効率よく光を取り出せない場合があり、透明感の割に点灯時の明るさ、すなわち遮蔽性が劣る場合がある。一方、屈折率差Δｎが３．０より大きいと、散乱光は後方散乱が支配的になるため、やはり透明感の割に点灯時の明るさ、すなわち遮蔽性に劣る場合がある。光拡散粒子の材料としては例えば酸化チタン、酸化亜鉛、硫酸バリウムなどが挙げられる。
【００１４】
また、Δｎと光拡散粒子の重量平均直径ｄ（ｍｍ）との積が、０．０００１〜０．１の範囲であることが好ましく、０．０００２〜０．０５の範囲であることがより好ましく、０．０００５〜０．０１の範囲であることがさらに好ましい。かかる積が０．０００１未満である場合、出射光の色合いが出射面内で異なり、光源付近では散乱光が青みを帯び、光源から離れた位置では黄味を帯びる場合がある。かかる積が０．１を超える場合、光拡散粒子で散乱した光が目視で輝点として認識され、外観品位を損ねる場合がある。
【００１５】
光拡散粒子の含有量は、光の利用効率と面内の輝度の均一化の観点から、導光板に対して０．００００１〜０．１質量％の範囲であることが好ましく、０．００００２〜０．０５質量％の範囲であることがより好ましく、０．００００５〜０．０１質量％の範囲であることがさらに好ましく、０．０００１〜０．００５質量％の範囲であることが特に好ましい。
【００１６】
本考案の仕切り板装置に用いる導光板の基材としては、アクリル系樹脂、スチレン系樹脂、ポリカーボネート樹脂などが挙げられる。中でも、透明性、耐衝撃性が良好な点から、アクリル系樹脂、ポリカーボネート樹脂が好ましく用いられる。樹脂組成の異なる層を複数設けた複層構成であってもよい。
【００１７】
本考案の仕切り板装置に用いる導光板のヘイズ値は、１０％より大きくなると透明感を失う。透明な窓ガラスなどと同等の透明性を有する観点から、ヘイズ値は８％以下が好ましく、５％以下が特に好ましい。ヘイズ値の下限は特にないが、高い輝度を実現するため、光拡散粒子を添加しない導光板の場合が含まれないという理由から通常０．１％以上であることが好ましい。しかしながら、高効率の光放出が実現できる場合、０．１未満のヘイズ値を有する導光板を用いることも可能である。
【００１８】
導光板の厚さは１０ｍｍ以下であることが好ましい。導光板の基材がアクリル樹脂などで構成される場合は、その剛性を考慮すると、厚さは１ｍｍ以上であることが好ましく、２ｍｍ以上であることがより好ましい。
【００１９】
本考案の実施形態の一つである、長方形の導光板を用いた面発光体を備えた仕切り板装置において、光源は、導光板の長方形の１辺に設けられていても、隣り合う２辺または向かい合う２辺に設けられていても、３辺に設けられていても、全ての辺に設けられていてもよい。角部分に設けられていてもよい。光源としては白熱電球、ＬＥＤなどを用いることができるが、消費電力が小さいという点でＬＥＤが好ましい。光源の色については、白色、赤色、緑色のほか、色温度が２７００Ｋ〜３０００Ｋのいわゆる電球色などの各種色を用いることができる。外光が概ね白色光または電球色であることを考慮すると、光源の色として、白色または電球色が周囲の空間の色に溶け込み違和感がないので好ましい。光源を導光板の周辺に設ける方法としては、導光板の入射端面に光源を透明接着剤で固定する方法などが挙げられる。
【００２０】
本考案の仕切り板装置が備える面発光体としての導光板の発光面の形状は、図１に示す長方形の他、例えば三角形、円形、楕円形などを採用できる。導光板の長さは１０００ｍｍ以下が好ましい。１０００ｍｍより大きいと、発光面の輝度が光源から離れた位置と光源直近の位置とで大きく異なる場合がある。
また本考案の仕切り板装置が備える面発光体としての導光板の発光面には、本考案の趣旨を逸脱しない範囲で、例えば発光面の周辺部分に絵柄などを印刷することができる。
【実施例】
【００２１】
以下に実施例および比較例を示すが、本考案はこれらに限定されない。
[実施例１]
【００２２】
以下に示す材料を用い、押出し機によってシートを製造し、所定の寸法に切断して導光板を作製した。
ベース樹脂：ＰＭＭＡ（株式会社クラレ製「パラペット」、屈折率＝１．４９４）
光拡散粒子：酸化チタン（テイカ株式会社製「ＪＲ−１０００」、重量平均粒子直径＝１μｍ、屈折率＝２．７２）
光拡散粒子濃度：０．０００７５質量％
導光板寸法、形状：長さ２００ｍｍ、幅２００ｍｍ、厚み５ｍｍの長方形板状
【００２３】
前記導光板のヘイズ値を、スガ試験機株式会社製「ヘーズメーター ＨＺ−１」によって測定したところ、５．０％であった。
【００２４】
上記導光板の向かい合う２辺に下記点状光源を配置し、面発光体を製造した。次いで、導光板の周囲に枠を設けて面発光体を備えた仕切り板装置を製造した。
【００２５】
使用光源：日亜化学工業株式会社製  「ＬＥＤ  ＮＦＳＷ０３６ＢＴ」
使用個数：１辺あたり２０個
配置間隔：１０ｍｍ
印加電圧：２．８Ｖ／１光源
[実施例２]
【００２６】
光拡散粒子の種類を酸化亜鉛（重量平均粒子直径＝０．５μｍ、屈折率＝１．９５）とし、光拡散粒子の濃度を０．００１６９質量％とした以外は実施例１と同様にして仕切り板装置を製造した。用いた導光板のヘイズ値は８．６％であった。
[実施例３]
【００２７】
光拡散粒子の種類を酸化アルミニウム（重量平均粒子直径＝２．２μｍ、屈折率＝１．７６）とし、光拡散粒子の濃度を０．００２５質量％とした以外は実施例１と同様にして仕切り板装置を製造した。用いた導光板のヘイズ値は６．５％であった。
[比較例１]
【００２８】
光拡散粒子の種類をポリスチレン（重量平均粒子直径＝３μｍ、屈折率＝１．５９）とし、光拡散粒子の濃度を０．００７質量％とした以外は実施例１と同様にして仕切り板装置を製造した。用いた導光板のヘイズ値は３１％であった。
【００２９】
実施例及び比較例の仕切り板装置について、消灯時の導光板の透明感を目視で評価した。その結果、実施例１、実施例２および実施例３の導光板は透明性に優れるが、比較例１の導光板は透明性に劣るものであった。
【００３０】
実施例及び比較例の仕切り板装置について、点灯時の導光板の遮蔽性を目視で評価した。その結果、実施例１、実施例２、実施例３および比較例１の導光板は遮蔽性に優れ、実施例１および実施例２の導光板は特に遮蔽性に優れるものであった。
【００３１】
以上に示したように、本考案によれば、消灯時は透明性に優れて視界を確保でき、点灯時には視界の遮蔽性に優れる面発光体を備えた仕切り板装置を提供できる。
【符号の説明】
【００３２】
１  仕切り板装置
１１  導光板
１２  光源
１３  枠
【図１】
0003175713.tif 000003